【手続補正書】
【提出日】平成16年11月30日(2004.11.30)
【手続補正１】
【補正対象書類名】明細書
【補正対象項目名】特許請求の範囲
【補正方法】変更
【補正の内容】
【特許請求の範囲】
【請求項１】
電子メールに画像データを添付して送信する通信装置において、
画像データを入力する入力手段と、
前記入力手段で入力された画像データを電子メールに添付して送信する送信手段と、
前記送信手段による送信先を指定する指定手段と、
前記指定手段で複数の送信先が指定された場合に、前記入力手段で入力された画像データに対し、前記指定手段で指定された複数の送信先毎に情報を付加する付加手段と、
前記指定手段で指定された複数の送信先毎に前記付加手段で情報が付加された画像データに基づく、送信先分の電子メールデータを生成する生成手段と、
前記生成手段で生成された送信先分の電子メールデータのそれぞれを、前記指定手段で指定された複数の送信先毎に前記送信手段で送信するよう制御する制御手段とを有することを特徴とする通信装置。
【請求項２】
原稿上の画像を読み取り該画像に応じた画像データを発生する読取手段を有し、
前記入力手段は前記読取手段により発生された画像データを入力することを特徴とする請求項１に記載の通信装置。
【請求項３】
前記付加手段は、前記入力手段で入力した画像データが表すページ単位の画像の端部に画像ヘッダとして情報を付加することを特徴とする請求項１または２に記載の通信装置。
【請求項４】
前記付加手段が付加する情報は、前記電子メールを送信する際の日付、時間、送信元アドレス、送信先アドレスのいずれか１つを含むことを特徴とする請求項１乃至３のいずれかに記載の通信装置。
【請求項５】
前記付加手段による情報の付加を行うモードと行わないモードとを切り替える切替手段を有することを特徴とする請求項１乃至４のいずれかに記載の通信装置。
【請求項６】
前記制御手段は、前記切替手段により前記付加手段による情報の付加を行わないモードに切り替えられた場合、前記指定手段で指定された複数の送信先に対し、当該複数の送信先が宛先欄にセットされた同一の電子メールデータを一括して送信することを特徴とする請求項５に記載の通信装置。
【請求項７】
電子メールに画像データを添付して送信する通信装置において、
画像データを入力する入力手段と、
インターネットＦＡＸ規格に則って前記入力手段で入力された画像データに情報を付加して電子メール手順で送信するためのインターネットＦＡＸ送信モードを指定する手段と、
前記入力手段で入力されたインターネットＦＡＸ規格以外の形式を含む画像データを電子メール手順で送信するための電子メール送信モードを指定する手段と、
前記インターネットＦＡＸ送信モードあるいは前記電子メール送信モードにより前記入力手段で入力された画像データを送信するための送信先を指定する指定手段と、
前記インターネットＦＡＸ送信モードにおいて前記指定手段で複数の送信先が指定された場合は、送信先毎に情報を付加した前記入力手段で入力された画像データに基づき生成した電子メールデータを送信し、前記電子メール送信モードにおいて前記指定手段で複数の送信先が指定された場合は、前記入力手段で入力した画像データに基づき生成した電子メールデータの宛先欄に当該複数の送信先をセットし一括して送信するよう制御する制御手段とを有することを特徴とする通信装置。
【請求項８】
前記インターネットＦＡＸモードにおいて付加される情報は、前記入力手段で入力された画像データが表すページ単位の画像の端部に付加する画像ヘッダであることを特徴とする請求項７に記載の通信装置。
【請求項９】
前記インターネットＦＡＸモードにおいて付加される情報は、前記画像データを送信する際の日付、時間、送信元アドレス、送信先アドレスのいずれか１つを含むことを特徴とする請求項７または８に記載の通信装置。
【請求項１０】
前記インターネットＦＡＸ送信モードにおいて、前記指定手段で指定された送信先毎に前記入力手段で入力された画像データに対する情報の付加を行うか否かを切り替える切替手段を有し、
前記制御手段は、前記インターネットＦＡＸ送信モードにおいて、前記切替手段で情報を付加するよう切り替えられて、前記指定手段で複数の送信先が指定された場合に、複数の送信先毎に前記入力手段に入力された画像データにそれぞれ情報を付加して送信するよう制御することを特徴とする請求項７乃至９のいずれかに記載の通信装置。
【請求項１１】
前記制御手段は、前記電子メール送信モードにおいては複数の画像サイズを送信可能とする一方、前記インターネットＦＡＸ送信モードにおいてはＡ４サイズ固定とすることを特徴とする請求項７乃至１０のいずれかに記載の通信装置。
【請求項１２】
前記制御手段は、前記電子メール送信モードにおいては画像データの解像度を複数の中から指定可能とする一方、前記インターネットＦＡＸ送信モードにおいては２００×２００ｄｐｉとするよう制御することを特徴とする請求項７乃至１１のいずれかに記載の通信装置。
【請求項１３】
前記制御手段は、前記電子メール送信モードにおいては前記入力手段で入力する画像データをカラーまたは白黒を選択可能とする一方、前記インターネットＦＡＸ送信モードにおいてはカラーの指定を禁止するよう制御することを特徴とする請求項７乃至１２のいずれかに記載の通信装置。
【請求項１４】
電子メールに画像データを添付して送信する通信方法において、
画像データを入力する入力工程と、
複数の送信先が指定された場合に、前記入力工程で入力された画像データに対し、前記複数の送信先毎に情報を付加する付加工程と、
複数の送信先毎に前記付加工程で情報が付加された画像データに基づく、送信先分の電子メールデータを生成する生成工程と、
前記生成工程で生成された送信先分の電子メールデータのそれぞれを、前記指定された複数の送信先毎に送信する送信工程とを有することを特徴とする通信方法。
【請求項１５】
電子メールに画像データを添付して送信する通信方法において、
画像データを入力する入力工程と、
インターネットＦＡＸ規格に則って前記入力工程で入力された画像データに情報を付加して電子メール手順で送信するためのインターネットＦＡＸ送信モードが指定され、且つ複数の送信先が指定された場合は、送信先毎に情報を付加した前記入力工程で入力された画像データに基づき生成した電子メールデータを送信する第１送信工程と、
前記入力工程で入力されたインターネットＦＡＸ規格以外の形式を含む画像データを電子メール手順で送信するための電子メール送信モードが指定され、且つ複数の送信先が指定された場合は、前記入力工程で入力した画像データに基づき生成した電子メールデータの宛先欄に当該複数の送信先をセットし一括して送信する第２送信工程とを有することを特徴とする通信方法。
【手続補正２】
【補正対象書類名】明細書
【補正対象項目名】０００１
【補正方法】変更
【補正の内容】
【０００１】
【発明の属する技術分野】
本発明は、電子メールに画像データを添付して送信を行なう通信装置および通信方法に関する。
【手続補正３】
【補正対象書類名】明細書
【補正対象項目名】００１３
【補正方法】変更
【補正の内容】
【００１３】
本発明の目的は、このような従来技術の問題点を解決するためになされたものであり、その目的とするところは、画像データに日付、時間、送信元の電子メールアドレス、相手先名などの情報を付加して送信することが可能な通信装置および通信方法を提供することにあり、特に、複数の送信先が指定された場合に、送信先毎に情報を付加した電子メールデータを生成することによって、複数の送信先にそれぞれの送信先に対応する情報を有する電子メールデータを１回の送信処理で送信することが可能な通信装置および通信方法を提供することである。
【手続補正４】
【補正対象書類名】明細書
【補正対象項目名】００１４
【補正方法】変更
【補正の内容】
【００１４】
【課題を解決するための手段】
上記目的を達成するために、本発明の電子メールに画像データを添付して送信を行う通信装置は、以下の構成を有する。すなわち、電子メールに画像データを添付して送信する通信装置において、画像データを入力する入力手段と、前記入力手段で入力された画像データを電子メールに添付して送信する送信手段と、前記送信手段による送信先を指定する指定手段と、前記指定手段で複数の送信先が指定された場合に、前記入力手段で入力された画像データに対し、前記指定手段で指定された複数の送信先毎に情報を付加する付加手段と、前記指定手段で指定された複数の送信先毎に前記付加手段で情報が付加された画像データに基づく、送信先分の電子メールデータを生成する生成手段と、前記生成手段で生成された送信先分の電子メールデータのそれぞれを、前記指定手段で指定された複数の送信先毎に前記送信手段で送信するよう制御する制御手段とを有することを特徴とする。
【手続補正５】
【補正対象書類名】明細書
【補正対象項目名】００１５
【補正方法】変更
【補正の内容】
【００１５】
好ましくは、原稿上の画像を読み取り該画像に応じた画像データを発生する読取手段を有し、前記入力手段は前記読取手段により発生された画像データを入力する。
【手続補正６】
【補正対象書類名】明細書
【補正対象項目名】００１６
【補正方法】変更
【補正の内容】
【００１６】
また好ましくは、前記付加手段は、前記入力手段で入力した画像データが表すページ単位の画像の端部に画像ヘッダとして情報を付加する。また、前記付加手段が付加する情報は、前記電子メールを送信する際の日付、時間、送信元アドレス、送信先アドレスのいずれか１つを含む。
【手続補正７】
【補正対象書類名】明細書
【補正対象項目名】００１７
【補正方法】変更
【補正の内容】
【００１７】
また好ましくは、前記付加手段による情報の付加を行うモードと行わないモードとを切り替える切替手段を有する。また、前記制御手段は、前記切替手段により前記付加手段による情報の付加を行わないモードに切り替えられた場合、前記指定手段で指定された複数の送信先に対し、当該複数の送信先が宛先欄にセットされた同一の電子メールデータを一括して送信する。
【手続補正８】
【補正対象書類名】明細書
【補正対象項目名】００１８
【補正方法】変更
【補正の内容】
【００１８】
本発明の電子メールに画像データを添付して送信を行う通信装置は、また以下の構成を有する。すなわち、電子メールに画像データを添付して送信する通信装置において、画像データを入力する入力手段と、インターネットＦＡＸ規格に則って前記入力手段で入力された画像データに情報を付加して電子メール手順で送信するためのインターネットＦＡＸ送信モードを指定する手段と、前記入力手段で入力されたインターネットＦＡＸ規格以外の形式を含む画像データを電子メール手順で送信するための電子メール送信モードを指定する手段と、前記インターネットＦＡＸ送信モードあるいは前記電子メール送信モードにより前記入力手段で入力された画像データを送信するための送信先を指定する指定手段と、前記インターネットＦＡＸ送信モードにおいて前記指定手段で複数の送信先が指定された場合は、送信先毎に情報を付加した前記入力手段で入力された画像データに基づき生成した電子メールデータを送信し、前記電子メール送信モードにおいて前記指定手段で複数の送信先が指定された場合は、前記入力手段で入力した画像データに基づき生成した電子メールデータの宛先欄に当該複数の送信先をセットし一括して送信するよう制御する制御手段とを有することを特徴とする。
【手続補正９】
【補正対象書類名】明細書
【補正対象項目名】００１９
【補正方法】変更
【補正の内容】
【００１９】
好ましくは、前記インターネットＦＡＸモードにおいて付加される情報は、前記入力手段で入力された画像データが表すページ単位の画像の端部に付加する画像ヘッダである。また、前記インターネットＦＡＸモードにおいて付加される情報は、前記画像データを送信する際の日付、時間、送信元アドレス、送信先アドレスのいずれか１つを含む。
【手続補正１０】
【補正対象書類名】明細書
【補正対象項目名】００２０
【補正方法】変更
【補正の内容】
【００２０】
また好ましくは、前記インターネットＦＡＸ送信モードにおいて、前記指定手段で指定された送信先毎に前記入力手段で入力された画像データに対する情報の付加を行うか否かを切り替える切替手段を有し、前記制御手段は、前記インターネットＦＡＸ送信モードにおいて、前記切替手段で情報を付加するよう切り替えられて、前記指定手段で複数の送信先が指定された場合に、複数の送信先毎に前記入力手段に入力された画像データにそれぞれ情報を付加して送信するよう制御する。
【手続補正１１】
【補正対象書類名】明細書
【補正対象項目名】００２１
【補正方法】変更
【補正の内容】
【００２１】
また好ましくは、前記制御手段は、前記電子メール送信モードにおいては複数の画像サイズを送信可能とする一方、前記インターネットＦＡＸ送信モードにおいてはＡ４サイズ固定とする。また、前記制御手段は、前記電子メール送信モードにおいては画像データの解像度を複数の中から指定可能とする一方、前記インターネットＦＡＸ送信モードにおいては２００×２００ｄｐｉとするよう制御する。また、前記制御手段は、前記電子メール送信モードにおいては前記入力手段で入力する画像データをカラーまたは白黒を選択可能とする一方、前記インターネットＦＡＸ送信モードにおいてはカラーの指定を禁止するよう制御する。
【手続補正１２】
【補正対象書類名】明細書
【補正対象項目名】００２２
【補正方法】変更
【補正の内容】
【００２２】
本発明の電子メールに画像データを添付して送信を行う通信方法は、以下の構成を有する。すなわち、電子メールに画像データを添付して送信する通信方法において、画像データを入力する入力工程と、複数の送信先が指定された場合に、前記入力工程で入力された画像データに対し、前記複数の送信先毎に情報を付加する付加工程と、複数の送信先毎に前記付加工程で情報が付加された画像データに基づく、送信先分の電子メールデータを生成する生成工程と、前記生成工程で生成された送信先分の電子メールデータのそれぞれを、前記指定された複数の送信先毎に送信する送信工程とを有することを特徴とする。
【手続補正１３】
【補正対象書類名】明細書
【補正対象項目名】００２３
【補正方法】変更
【補正の内容】
【００２３】
本発明の電子メールに画像データを添付して送信を行う通信装置は、また以下の構成を有する。すなわち、電子メールに画像データを添付して送信する通信方法において、画像データを入力する入力工程と、インターネットＦＡＸ規格に則って前記入力工程で入力された画像データに情報を付加して電子メール手順で送信するためのインターネットＦＡＸ送信モードが指定され、且つ複数の送信先が指定された場合は、送信先毎に情報を付加した前記入力工程で入力された画像データに基づき生成した電子メールデータを送信する第１送信工程と、前記入力工程で入力されたインターネットＦＡＸ規格以外の形式を含む画像データを電子メール手順で送信するための電子メール送信モードが指定され、且つ複数の送信先が指定された場合は、前記入力工程で入力した画像データに基づき生成した電子メールデータの宛先欄に当該複数の送信先をセットし一括して送信する第２送信工程とを有することを特徴とする。
【手続補正１４】
【補正対象書類名】明細書
【補正対象項目名】００９８
【補正方法】変更
【補正の内容】
【００９８】
【発明の効果】
以上説明したように、本発明によれば、画像データに日付、時間、送信元の電子メールアドレス、相手先名などの情報を付加して送信することが可能な通信装置および通信方法を提供でき、特に、複数の送信先が指定された場合に、送信先毎に情報を付加した電子メールデータを生成することによって、複数の送信先にそれぞれの送信先に対応する情報を有する電子メールデータを１回の送信処理で送信することが可能な通信装置および通信方法を提供できる。
更に、インターネットＦＡＸ規格に則って入力された画像データに情報を付加して電子メール手順で送信するためのインターネットＦＡＸ送信モードと、入力されたインターネットＦＡＸ規格以外の形式を含む画像データを電子メール手順で送信するための電子メール送信モードとを選択可能な通信装置および通信方法を提供できる。